(57)【特許請求の範囲】
【請求項１】
装飾タイル又は大理石敷設方案の自動的な表示方法であり、
手順１）各ブランドのタイル、大理石写真、寄木張り造型、ウエストライン枠のスタイル、又は、造型タイルのスタイルを、ルールに従ってソフトウェアの該ブランドのデーターベースに入力し、
手順２）タイル又は大理石の様々な設計、および、様々な敷設方法を、コンピューターの説明言語と関数式に変換し、
手順３）３Ｄ立体シーンにおいて、コンピューターの説明言語と関数式を呼び出すことにより、様々な、タイル、大理石、寄木張り造型、ウエストライン枠のスタイル、又は、造型タイルのスタイルを、計算して変換し、３Ｄ敷設エリアに表示させ、
手順４）３Ｄ立体シーンに作成された敷設タイルを記録、および、送信し、
前記手順３において、システムにおけるコンピューターの説明言語および関数式を呼び出し、計算して選択されたエリアにおけるタイル又は大理石の面取りを行い、計算結果を面取りしたタイル又は大理石の画像に変換し、画像のままに該エリアに表示し、
前記手順３において、システムにおけるコンピューターの説明言語と関数式を呼び出し、計算して選択されたエリアにおけるタイル又は大理石に溝を切る、つまり、各タイル又は大理石の所定位置に凹み構造を形成し、計算結果を溝きりタイル又は大理石の画像に変換し、画像のままに該エリアに表示させ、そのうち、各タイル又は大理石の所定位置に溝きりの方式選択モジュールに選択して得られ、その内容として、片側溝きりオプション、両側溝きりオプション及び等分中間溝きりオプションが含まれることを特徴とする、
装飾タイル又は大理石敷設方案の自動的な表示方法。
【請求項２】
システムにおけるコンピューターの説明言語および関数式を呼び出し、計算して選択されたエリアにウエストライン枠を追加する、つまり、選択されたエリアにおける所定位置に組み合わせの形式でウェストラインを入れ、計算結果をウエストライン枠の組み合わせのスタイルの画像に変換し、その画像のままに該エリアに表示させ、そのうち、ウエストライン枠の組み合わせは、ウエストライン枠の選択モジュールに選択して得られ、スタイル１、スタイル２、スタイル３及びスタイル４を含む複数のオプションが含まれることを特徴とする、請求項１に記載された装飾タイル又は大理石敷設方案の自動的な表示方法。
【請求項３】
システムにおけるコンピューターの説明言語と関数式を呼び出し、計算して選択されたエリアに寄木張りを追加する、つまり、選択されたエリアにおける所定位置に寄木張りの形式でタイル又は大理石を入れ、計算結果を寄木張りの組み合わせスタイルの画像に変換し、その画像のままに該エリアに表示させ、そのうち、寄木張りは、寄木張りの選択モジュールに選択して得られ、また、ユーザがタイル又は大理石の選択細目を操作することによって寄木張りのスタイルにおける各分解図形を選択するおよび切り替えることが可能であることを特徴とする、請求項２に記載された装飾タイル又は大理石敷設方案の自動的な表示方法。
【請求項４】
システムにおけるコンピューターの説明言語と関数式を呼び出し、計算して選択されたエリアにボーダーラインを追加する、つまり、選択されたエリアにウォール位置をめぐってタイルを追加し、計算結果を該エリアにボーダーライン追加後のタイル又は大理石の画像に変換し、その画像のままに該エリアに表示させ、そのうち、ボーダーラインは、１本、二本、三本及び数本を追加することができ、且つ各ボーダーラインは、ウォール位置又は洗浄具の位置をめぐって敷設後に該エリアに表示することを特徴とする、請求項３に記載された装飾タイル又は大理石敷設方案の自動的な表示方法。
【請求項５】
システムにおけるコンピューターの説明言語と関数式を呼び出し、計算して選択されたエリアにおけるタイルとタイルとの間、又、は大理石と大理石との間にある隙間を処理する、前記隙間の処理は、隙間の色選択モジュールにおける色の選択処理、および、隙間の幅選択モジュールにおける幅の選択処理が含まれ、計算結果を隙間変化後のタイル又は大理石の画像に変換し、その画像のままに該エリアに表示する、ことを特徴とする請求項４に記載された装飾タイル又は大理石敷設方案の自動的な表示方法。
【請求項６】
システムにおけるコンピューターの説明言語と関数式を呼び出し、計算して選択されたエリアにタイル又は大理石のローリング敷設処理を行い、その内容として、タイル選択細目にタイル又は大理石の少なくとも２種類の模様回転角度を選択することが含まれ、計算結果をタイル又は大理石の組み合わせ画像に変換し、その画像のままに該エリアに表示することを特徴とする、請求項５に記載された装飾タイル又は大理石敷設方案の自動的な表示方法。
【請求項７】
システムにおけるコンピューターの説明言語と関数式を呼び出し、計算して選択されたエリアにタイル又は大理石の組み合わせ敷設をし、その内容として、前記タイル又は大理石の選択細目に少なくとも２種類のタイルを同時に選択することが含まれ、そして計算結果をタイル又は大理石の組み合わせ敷設パターンに変換し、その画像のままに該エリアに表示させ、そのうち、前記した所定の敷設規則は、組み合わせタイルの敷設モジュールにおいてユーザによって選択されることを特徴とする、請求項６に記載された装飾タイル又は大理石敷設方案の自動的な表示方法。
【請求項８】
システムにおけるコンピューターの説明言語と関数式を呼び出し、計算して選択されたエリアにタイル又は大理石の造型タイルの敷設処理を行い、つまり、選択されたエリアにおける所定場所でタイルを造型タイルの形式で追加し、そして計算結果を造型タイルのパターンに変換し、この画像のままに該エリアに表示させ、そのうち、造型タイルは、造型タイル選択モジュールに選択して得られ、それに、ユーザはタイル又は大理石の選択細目によって造型タイルにおける各種分解図形を選択および切り替えを行うことができ、造型タイルの造型寸法及び数量が等分にされる、ことを特徴とする請求項７に記載された装飾タイル又は大理石敷設方案の自動的な表示方法。
【請求項９】
システムにおけるコンピューターの説明言語と関数式を呼び出し、計算して選択されたエリアにエリア分割操作を行い、システムはエリアの分割情報を記録し、且つユーザが各分割エリアのためタイル又は大理石選択細目、又は組み合わせタイル敷設モジュール、あるいは造型タイル敷設モジュールを選択することを許容し、且つユーザが選択されたものを該パターンの分割エリアに表示させることを特徴とする、請求項８に記載された装飾タイル又は大理石敷設方案の自動的な表示方法。
【請求項１０】
システムにおけるコンピューターの説明言語と関数式を呼び出し、計算して選択された３Ｄモデルに対して造型タイルの敷設処理を行い、つまり、選択されたモデルにおける所定の位置にタイルを造型タイルの形式で追加し、計算結果を選択されたモデルにおける造型タイルのパターンに変換し、その画像のままにモデルに表示させ、そのうち、造型タイルは、造型タイルの選択モジュールに選択して得られ、それに、ユーザはタイルの選択細目によって造型タイルにおける各種分解図形を選択および切り替えを行うことができることを特徴とする、請求項９に記載された装飾タイル又は大理石敷設方案の自動的な表示方法。
【請求項１１】
システムにおけるコンピューターの説明言語と関数式を呼び出し、計算して選択された寄木張り、窓又はドア周りの、タイル又は大理石の敷設方式を調整し、つまり選択された寄木張り、窓又はドア周りのタイルの位置を再度調整することであり、計算結果を位置再調整後のタイル敷設パターンに変換し、その画像のままに該エリアに表示させ、その敷設の造型スタイルは１０種類あり、ユーザは実際のニーズに応じて敷設の造型スタイルを選択し、敷設して表示させることができる、ことを特徴とする請求項１０に記載された装飾タイル又は大理石敷設方案の自動的な表示方法。
【請求項１２】
ユーザはタイルの選択細目によってタイルの選択結果を記録し、且つ該インターフェースに様々なタイルの使用量と価格のリストを生成し、送信することによって他のシーンに変換して計算し、再度表示することを特徴とする請求項１１に記載された装飾タイル又は大理石敷設方案の自動的な表示方法。
【発明の詳細な説明】
【技術分野】
【０００１】
本発明は、装飾設計分野に属し、特に装飾タイル、大理石敷設方案の自動的な表示方法に関する。
【背景技術】
【０００２】
現在、タイル、大理石の販売業界において、販売業者のほとんどは、ＣＡＤ又は３Ｄｍａｘにて消費者に敷設図又は効果図を作成している。そのうち、ＣＡＤは黒白線条図しかできず、消費者に直観的な装飾効果を表示することができない。ＣＡＤに慣れていない。消費者は、さらに呆然として全く理解できなく、販売業者の営業に影響を与えてしまう。３Ｄｍａｘではより良い視野効果を実現することができるが、その作成時間が長い、コストが高い、ほとんど作成しない現状である。前記消費者は、自分の家におけるタイル、大理石の敷設効果を見ることが基本的に実現されない。そのため、タイル、大理石の販売業界は、消費者に対し、消費者の家におけるタイル、大理石の敷設効果を快速に表示させる方法を求める必要が非常に高い。
【発明の概要】
【発明が解決しようとする課題】
【０００３】
本発明は、前記の解決必要技術問題に基づき、装飾タイル、大理石敷設方案の自動的な表示方法を提出する。該方法は直観的な効果がなく、わかりにくい従来的ＣＡＤソフトウェアが作成した黒白線条図か、作成時間が長い、コストが高い従来的３Ｄｍａｘと違い、特に現在のタイル、大理石販売業界のニーズを満たすことができる。
【課題を解決するための手段】
【０００４】
本発明の提供する技術方案は以下の通りである。
【０００５】
装飾タイル、大理石敷設方案の自動的な表示方法は以下を含む：
【０００６】
手順１）各ブランドのタイル、大理石写真、寄木張り造型、ウエストライン枠のスタイル、造型タイルのスタイルを簡単なルールによって簡単なソフトウェアの該ブランドのデーターベースに入力する。
【０００７】
手順２）様々なタイル、大理石の設計、様々な敷設方法をコンピューターの説明言語と関数式に変換する。
【０００８】
手順３）３Ｄシーンにおいて、コンピューターの説明言語と関数式を呼び出すことにより、様々なタイル、大理石、寄木張り造型、ウエストライン枠のスタイル、造型タイルのスタイルを計算して変換し、３Ｄ敷設待つエリアに表示させる。
【０００９】
手順４）３Ｄ立体シーンに作成された敷設タイルを記録、送信することにより、他のシーンに計算、変換して表示することができる。
【００１０】
好ましいのは、システムにおけるコンピューターの説明言語と関数式を呼び出し、計算して選択されたエリアにおけるタイル又は大理石の面取りを行い、そして計算結果を面取りしたタイルや大理石の画像に変換し、その画像のままに該エリアに表示する前記した方法。
【００１１】
好ましいのは、システムにおけるコンピューターの説明言語と関数式を呼び出し、計算して選択されたエリアにおけるタイル又は大理石に溝を切る、つまり、各タイルと大理石の所定位置に凹み構造を形成し、そして計算結果を溝きりタイル又は大理石の画像に変換し、その画像のままに該エリアに表示させる、そのうち、各タイル又は大理石の所定位置に溝きりの方式選択モジュールに選択して得られる、その内容として、片側溝きりオプション、両側溝きりオプションが含まれる前記した方法。
【００１２】
好ましいのは、システムにおけるコンピューターの説明言語と関数式を呼び出し、計算して選択されたエリアにウエストライン枠を追加する、つまり、選択されたエリアにおける所定位置に組み合わせの形式でウェストラインを入れ、そして計算結果をウエストライン枠の組み合わせのスタイルの画像に変換し、その画像のままに該エリアに表示させる、そのうち、ウエストライン枠の組み合わせは、ウエストライン枠の選択モジュールに選択して得られる、スタイル１、スタイル２、スタイル３、スタイル４を含む複数のオプションが含まれる前記した方法。
【００１３】
好ましいのは、システムにおけるコンピューターの説明言語と関数式を呼び出し、計算して選択されたエリアに寄木張りを追加する、つまり、選択されたエリアにおける所定位置に寄木張りの形式でタイル又は大理石を入れ、そして計算結果を寄木張りの組み合わせスタイルの画像に変換し、その画像のままに該エリアに表示させる、そのうち、寄木張りは、寄木張りの選択モジュールに選択して得られる、また、ユーザがタイル又は大理石の選択細目を操作することによって寄木張りのスタイルにおける各分解図形を選択するか切り替えることができる前記した方法。
【００１４】
好ましいのは、システムにおけるコンピューターの説明言語と関数式を呼び出し、計算して選択されたエリアにボーダーラインを追加する、つまり、選択されたエリアにウォール位置をめぐってタイルを追加し、そして計算結果を該エリアにボーダーライン追加後のタイル又は大理石の画像に変換し、その画像のままに該エリアに表示させる、そのうち、ボーダーラインは、１本、二本、三本及び数本を追加することができ、且つ各ボーダーラインは、ウォール位置又は洗浄具の位置をめぐって敷設後に該エリアに表示する前記した方法。
【００１５】
好ましいのは、システムにおけるコンピューターの説明言語と関数式を呼び出し、計算して選択されたエリアにおけるタイルとタイルとの間又は大理石と大理石との間にある隙間を処理する、前記隙間の処理は、隙間の色選択モジュールにおける色の選択処理と隙間の幅選択モジュールにおける幅の選択処理が含まれる、そして計算結果を隙間変化後のタイル又は大理石の画像に変換し、その画像のままに該エリアに表示する前記した方法。
【００１６】
好ましいのは、システムにおけるコンピューターの説明言語と関数式を呼び出し、計算して選択されたエリアにタイル又は大理石のローリング敷設処理を行う、その内容として、タイル選択細目にタイル又は大理石の少なくとも２種類の模様回転角度を選択することが含まれる、そして計算結果をタイル又は大理石の組み合わせ画像に変換し、その画像のままに該エリアに表示する前記した方法。
【００１７】
好ましいのは、システムにおけるコンピューターの説明言語と関数式を呼び出し、計算して選択されたエリアにタイル又は大理石の組み合わせ敷設をする、その内容として、前記タイル又は大理石の選択細目に少なくとも２種類のタイルを同時に選択することが含まれる、そして計算結果をタイル又は大理石の組み合わせ敷設パターンに変換し、その画像のままに該エリアに表示させる、そのうち、前記した所定の敷設規則は、ユーザより組み合わせタイルの敷設モジュールに選択する前記した方法。
【００１８】
好ましいのは、システムにおけるコンピューターの説明言語と関数式を呼び出し、計算して選択されたエリアにタイル又は大理石の造型タイルの敷設処理を行う、つまり、選択されたエリアにおける所定場所でタイルを造型タイルの形式で追加し、そして計算結果を造型タイルのパターンに変換し、この画像のままに該エリアに表示させる、そのうち、造型タイルは、造型タイル選択モジュールに選択して得られる、それに、ユーザはタイル又は大理石の選択細目によって造型タイルにおける各種分解図形を選択するか切り替え、造型タイルの造型寸法、数量を等分にする前記した方法。
【００１９】
好ましいのは、システムにおけるコンピューターの説明言語と関数式を呼び出し、計算して選択されたエリアにエリア分割操作を行い、システムはエリアの分割情報を記録し、且つユーザが各分割エリアのためタイル又は大理石選択細目、又は組み合わせタイル敷設モジュール、あるいは造型タイル敷設モジュールに選択することを許容し、且つユーザの選択されたものを該パターンの分割エリアに表示させる前記した方法。
【００２０】
好ましいのは、システムにおけるコンピューターの説明言語と関数式を呼び出し、計算して選択された３Ｄモデルに対して造型タイルの敷設処理を行う、つまり、選択されたモデルにおける所定の位置にタイルを造型タイルの形式で追加し、そして計算結果を選択されたモデルにおける造型タイルのパターンに変換し、その画像のままにモデルに表示させる、そのうち、造型タイルは、造型タイルの選択モジュールに選択して得られる、それに、ユーザはタイルの選択細目によって造型タイルにおける各種分解図形を選択する切り替える前記した方法。
【００２１】
好ましいのは、システムにおけるコンピューターの説明言語と関数式を呼び出し、計算して選択された寄木張り、窓やドア周りのタイル又は大理石の敷設方式を調整する、つまり選択された寄木張り、窓やドア周りのタイルの位置を再度調整することである、そして計算結果を位置再調整後のタイル敷設パターンに変換し、その画像のままに該エリアに表示させる、その敷設の造型スタイルは１０種類あり、ユーザは実際のニーズに応じて敷設の造型スタイルを選択し、敷設して表示させることができる前記した方法。
【００２２】
好ましいのは、ユーザはタイルの選択細目によってタイルの選択結果を記録し、且つ該インターフェースに様々なタイルの使用量と価格のリストを生成し、送信することによって他のシーンに変換して計算し、再度表示する前記した方法。
【発明の効果】
【００２３】
本発明の前記した装飾タイル敷設方案の自動的な表示方法は、効果的に従来的ＣＡＤソフトウェアと３Ｄｍａｘソフトウェアは販売業界に遭ったボトルネック問題を解決する、３Ｄ敷設エリアにタイルの様々な敷設効果を表示するので、消費者は直観的にタイルの敷設効果を見ることができ、素早くて便利であり、優れた視覚的体験を与え、より高い普及価値を有する。
【図面の簡単な説明】
【００２４】
【図１】図１は、本発明の前記した装飾タイル、大理石敷設方案の自動的な表示方法の面取り処理インターフェース概略図である。
【図２】図２は、本発明の前記した装飾タイル、大理石敷設方案の自動的な表示方法の片側溝切り処理インターフェース概略図である。
【図３】図３は、本発明の前記した装飾タイル、大理石敷設方案の自動的な表示方法の等分な溝きり処理インターフェース概略図である。
【図４】図４は、本発明の前記した装飾タイル、大理石敷設方案の自動的な表示方法のウエストライン枠処理インターフェース概略図である。
【図５】図５は、本発明の前記した装飾タイル、大理石敷設方案の自動的な表示方法の４種ウエストライン枠処理インターフェース概略図である。
【図６】図６は、本発明の前記した装飾タイル、大理石敷設方案の自動的な表示方法の寄木張り処理インターフェース概略図である。
【図７】図７は、本発明の前記した装飾タイル、大理石敷設方案の自動的な表示方法のボーダーライン処理インターフェース概略図である。
【図８】図８は、本発明の前記した装飾タイル、大理石敷設方案の自動的な表示方法のタイルの隙間処理インターフェース概略図である。
【図９】図９は、本発明の前記した装飾タイル、大理石敷設方案の自動的な表示方法のローリング敷設処理インターフェース概略図である。
【図１０】図１０は、本発明の前記した装飾タイル、大理石敷設方案の自動的な表示方法の組み合わせ敷設処理インターフェース概略図である。
【図１１】図１１は、本発明の前記した装飾タイル、大理石敷設方案の自動的な表示方法の造型タイル敷設処理インターフェース概略図である。
【図１２】図１２は、本発明の前記した装飾タイル、大理石敷設方案の自動的な表示方法の造型タイル等分敷設処理インターフェース概略図である。
【図１３】図１３は、本発明の前記した装飾タイル、大理石敷設方案の自動的な表示方法の数種造型タイル敷設処理インターフェース概略図である。
【図１４】図１４は、本発明の前記した装飾タイル、大理石敷設方案の自動的な表示方法のエリア分割ライン処理インターフェース概略図である。
【図１５】図１５は、本発明の前記した装飾タイル、大理石敷設方案の自動的な表示方法の浴槽３Ｄモデル造型タイルの敷設処理インターフェース概略図である。
【図１６】図１６は、本発明の前記した装飾タイル、大理石敷設方案の自動的な表示方法のテレビ背景壁３Ｄモデル造型タイルの敷設処理インターフェース概略図である。
【図１７】図１７は、本発明の前記した装飾タイル、大理石敷設方案の自動的な表示方法の寄木張りの周りのタイル敷設処理インターフェース概略図である。
【図１８】図１８は、本発明の前記した装飾タイル、大理石敷設方案の自動的な表示方法のドア周りのタイル敷設処理インターフェース概略図である。
【図１９】図１９は、本発明の前記した装飾タイル、大理石敷設方案の自動的な表示方法の窓周りのタイル敷設処理インターフェース概略図である。
【発明を実施するための形態】
【実施例１】
【００２５】
本業界の技術員は、説明書を参考して実施することができるよう図面と合わせて本発明をより詳しく説明する。
【００２６】
本発明は、装飾タイル、大理石敷設方案の自動的な表示方法を開示し、以下を含む：手順１）各ブランドのタイル、大理石写真、寄木張り造型、ウエストライン枠のスタイル、造型タイルのスタイルを簡単なルールによって簡単なソフトウェアの該ブランドのデーターベースに入力する。手順２）様々なタイル、大理石の設計、様々な敷設方法をコンピューターの説明言語と関数式に変換する。手順３）３Ｄシーンにおいて、コンピューターの説明言語と関数式を呼び出すことにより、様々なタイル、大理石、寄木張り造型、ウエストライン枠のスタイル、造型タイルのスタイルを計算して変換し、３Ｄ敷設待つエリアに表示させる。手順４）３Ｄ立体シーンに作成された敷設タイルを記録、送信することにより、他のシーンに計算、変換して表示することができる。
【００２７】
前記した方法に基づき、本発明は下記の実施例を提供する。
【００２８】
実施例１：面取り処理
【００２９】
図１に示すように、システムにおけるコンピューターの説明言語と関数式を呼び出し、計算して選択されたエリアにおけるタイル又は大理石の面取りを行い、そして計算結果を面取りしたタイルや大理石の画像に変換し、その画像のままに該エリアに表示する前記した方法。
【００３０】
ここで、面取り処理は、上面取り、下面取り、左面取り、右面取り、上下面取り、左右面取り、上下左右面取りが含まれる、ユーザは面取り方式を決めると、ソフトウェアによって計算し、すぐに計算結果がシーンに表示することができる。
【００３１】
実施例２：溝きり処理
【００３２】
図２、図３に示すように、システムにおけるコンピューターの説明言語と関数式を呼び出し、計算して選択されたエリアにおけるタイル又は大理石に溝を切る、つまり、各タイルと大理石の所定位置に凹み構造を形成し、そして計算結果を溝きりタイル又は大理石の画像に変換し、その画像のままに該エリアに表示させる、そのうち、各タイル又は大理石の所定位置に溝きりの方式選択モジュールに選択して得られる、その内容として、片側溝きりオプション、両側溝きりオプションが含まれる前記した方法。
【００３３】
ここで、片側溝きりか両側溝きりを問わず、溝きりの本数を選択することができる、等分な溝きりを含む方式において、溝の幅や深さまでも選択することができる。上記と同じように、ユーザは溝きり方式を決めると、ソフトウェアによって計算し、すぐに計算結果がシーンに表示することができる。
【００３４】
実施例３：ウエストラインタイルの追加処理
【００３５】
図４、図５に示すように、システムにおけるコンピューターの説明言語と関数式を呼び出し、計算して選択されたエリアにウエストライン枠を追加する、つまり、選択されたエリアにおける所定位置に組み合わせの形式でウェストラインを入れ、そして計算結果をウエストライン枠の組み合わせのスタイルの画像に変換し、その画像のままに該エリアに表示させる、そのうち、ウエストライン枠の組み合わせは、ウエストライン枠の選択モジュールに選択して得られる、スタイル１、スタイル２、スタイル３、スタイル４を含む複数のオプションが含まれる前記した方法。
【００３６】
ユーザはウエストラインタイルの処理をしたい場合、データーベースのウエスト用途のラベルからウエストラインの種類を選択するだけで良い、それに、ウエストラインの種類の下のメニューに選択される数種のウエストラインタイルのタイプが設定している、様々なパターンや模様のタイルが選択される。ユーザはウエストラインタイルの選択モジュールにてウエストライン枠のタイプを決めると、ソフトウェアによって計算し、すぐに計算結果がシーンに表示することができる。
【００３７】
実施例４：寄木張りタイルの追加処理：
【００３８】
図６に示すように、システムにおけるコンピューターの説明言語と関数式を呼び出し、計算して選択されたエリアに寄木張りを追加する、つまり、選択されたエリアにおける所定位置に寄木張りの形式でタイル又は大理石を入れ、そして計算結果を寄木張りの組み合わせスタイルの画像に変換し、その画像のままに該エリアに表示させる前記した方法。
【００３９】
そのうち、寄木張りは、寄木張りの選択モジュールに選択して得られる、また、ユーザがタイル又は大理石の選択細目を操作することによって寄木張りのスタイルにおける各分解図形を選択するか切り替えることができる。
【００４０】
実施例５：ボーダーラインの追加処理
【００４１】
図７に示すように、システムにおけるコンピューターの説明言語と関数式を呼び出し、計算して選択されたエリアにボーダーラインを追加する、つまり、選択されたエリアにウォール位置をめぐってタイルを追加し、そして計算結果を該エリアにボーダーライン追加後のタイル又は大理石の画像に変換し、その画像のままに該エリアに表示させる前記した方法。
【００４２】
そのうち、ボーダーラインは、１本、二本、三本及び数本を追加することができ、且つ各ボーダーラインは、ウォール位置又は洗浄具の位置をめぐって敷設後に該エリアに表示する。
【００４３】
実施例６：タイルの隙間の処理
【００４４】
図８に示すように、システムにおけるコンピューターの説明言語と関数式を呼び出し、計算して選択されたエリアにおけるタイルとタイルとの間又は大理石と大理石との間にある隙間を処理する、前記隙間の処理は、隙間の色選択モジュールにおける色の選択処理と隙間の幅選択モジュールにおける幅の選択処理が含まれる、そして計算結果を隙間変化後のタイル又は大理石の画像に変換し、その画像のままに該エリアに表示する前記した方法。
【００４５】
これは理解しやすいである、ユーザは選択されたエリアにおけるタイルとタイルとの間にある隙間を処理することができる、その色を選択的に処理することができる、それに、隙間の幅を調整することができる。タイルの隙間を調整したタイルの敷設面積はそれによって変更される、これら変更は、ソフトウェアの計算によってすぐに計算結果をシーンに表示することができる。
【００４６】
実施例７：ローリング敷設処理
【００４７】
図９に示すように、システムにおけるコンピューターの説明言語と関数式を呼び出し、計算して選択されたエリアにタイル又は大理石のローリング敷設処理を行う、その内容として、タイル選択細目にタイル又は大理石の少なくとも２種類の模様回転角度を選択することが含まれる、そして計算結果をタイル又は大理石の組み合わせ画像に変換し、その画像のままに該エリアに表示する前記した方法。
【００４８】
そのうちに、ローリング方式として、水平ローリング、垂直ローリング、完全にローリングとローリングしない４種類ありする。ユーザは、任意の形式でタイル又は大理石の敷設効果を調整することができる。
【００４９】
実施例８：組み合わせ敷設処理
【００５０】
図１０に示すように、システムにおけるコンピューターの説明言語と関数式を呼び出し、計算して選択されたエリアにタイル又は大理石の組み合わせ敷設をする、その内容として、前記タイル又は大理石の選択細目に少なくとも２種類のタイルを同時に選択することが含まれる、そして計算結果をタイル又は大理石の組み合わせ敷設パターンに変換し、その画像のままに該エリアに表示させる、そのうち、前記した所定の敷設規則は、ユーザより組み合わせタイルの敷設モジュールに選択する前記した方法。
【００５１】
ユーザの異なる審美を満たすため、本発明はユーザのためタイル又は大理石の組み合わせ敷設方案を提供する、つまり、ユーザは選択されたエリアにおいて少なくとも２種類のタイルを交互に敷設することができる。その交互に敷設する規則は、コンピューター言語の形式でタイルの組み合わせ敷設モジュールに記録される、一般的な敷設、斜め敷設２色、斜め敷設３色、及び水平や垂直の組み合わせ数量を選択する規則を含むが、その限りではない。
【００５２】
実施例９：造型タイルの敷設処理
【００５３】
図１１、図１２、図１３に示すように、システムにおけるコンピューターの説明言語と関数式を呼び出し、計算して選択されたエリアにタイル又は大理石の造型タイルの敷設処理を行う、つまり、選択されたエリアにおける所定場所でタイルを造型タイルの形式で追加し、そして計算結果を造型タイルのパターンに変換し、この画像のままに該エリアに表示させる前記した方法。
【００５４】
そのうち、造型タイルは、造型タイル選択モジュールに選択して得られる、それに、ユーザはタイル又は大理石の選択細目によって造型タイルにおける各種分解図形を選択するか切り替え、造型タイルの造型寸法、数量を等分にすることができる。
【００５５】
実施例１０：分割操作処理
【００５６】
図１４に示すように、システムにおけるコンピューターの説明言語と関数式を呼び出し、計算して選択されたエリアにエリア分割操作を行い、システムはエリアの分割情報を記録し、且つユーザが各分割エリアのためタイル又は大理石選択細目、又は組み合わせタイル敷設モジュール、あるいは造型タイル敷設モジュールに選択することを許容し、且つユーザの選択されたものを該パターンの分割エリアに表示させる前記した方法。
【００５７】
ここで、分割操作では、平面間取り図に分割ラインを作成することによって実現するものである、平面図に作成後、システムは立体インターフェースにおいてエリアの分割情報を記録し、すぐに分割された異なるエリアをシーンに表示する。
【００５８】
実施例１１：３Ｄモデルに対する造型タイルの敷設処理
【００５９】
図１５、図１６に示すように、システムにおけるコンピューターの説明言語と関数式を呼び出し、計算して選択された３Ｄモデルに対して造型タイルの敷設処理を行う、つまり、選択されたモデルにおける所定の位置にタイルを造型タイルの形式で追加し、そして計算結果を選択されたモデルにおける造型タイルのパターンに変換し、その画像のままにモデルに表示する前記した方法。
【００６０】
そのうち、造型タイルは、造型タイルの選択モジュールに選択して得られる、それに、ユーザはタイルの選択細目によって造型タイルにおける各種分解図形を選択する切り替えることができる。
【００６１】
実施例１２：寄木張り、ドアや窓周りのタイル敷設処理
【００６２】
図１７、図１８、図１９に示すように、システムにおけるコンピューターの説明言語と関数式を呼び出し、計算して選択された寄木張り、窓やドア周りのタイル又は大理石の敷設方式を調整する、つまり選択された寄木張り、窓やドア周りのタイルの位置を再度調整することである、そして計算結果を位置再調整後のタイル敷設パターンに変換し、その画像のままに該エリアに表示する前記した方法。
【００６３】
その敷設の造型スタイルは１０種類あり、ユーザは実際のニーズに応じて敷設の造型スタイルを選択し、敷設して表示させることができる。
【００６４】
さらに、本発明の提供する方法において、好ましいのは、前記したタイルの選択細目はタイルの選択結果を記録し、且つ該インターフェースに様々なタイルの使用量と価格リストを生成する。各エリアにおけるユーザの選択結果は、ソフトウェアによってタイルの選択細目に記録され、且つ様々なタイルの使用量を計算し、システムに入力した市場価格によって価格のリストを生成する。言い換えれば、ユーザは本方法によって自分の期待しているタイルの敷設効果だけでなく、気になっているタイルの敷設方案の価格を推測ことができ、一挙両得であると言える。
【００６５】
本発明の前記した装飾タイル敷設方案の自動的な表示方法は、効果的に従来的ＣＡＤソフトウェアと３Ｄｍａｘソフトウェアは販売業界に遭ったボトルネック問題を解決する、３Ｄ敷設エリアにタイルの様々な敷設効果を表示するので、消費者は直観的にタイルの敷設効果を見ることができ、素早くて便利であり、優れた視覚的体験を与え、より高い普及価値を有する。
【００６６】
上記のように本発明の実施例を示したが、単に説明書と実施例に限定されるものではない、本発明は、完全に本発明に適する様々な分野に適する、本分野を熟知している人間に対し、簡単に修正することができる、そのため、本発明の特許請求及び同等範囲に限定された一般的な概念を逸脱しない前提の下で、本発明は、特定の詳細とここで表示・説明した図例に限定しない。
【図１】
0006014961.tif 000002
【図２】
0006014961.tif 000003
【図３】
0006014961.tif 000004
【図４】
0006014961.tif 000005
【図５】
0006014961.tif 000006
【図６】
0006014961.tif 000007
【図７】
0006014961.tif 000008
【図８】
0006014961.tif 000009
【図９】
0006014961.tif 000010
【図１０】
0006014961.tif 000011
【図１１】
0006014961.tif 000012
【図１２】
0006014961.tif 000013
【図１３】
0006014961.tif 000014
【図１４】
0006014961.tif 000015
【図１５】
0006014961.tif 000016
【図１６】
0006014961.tif 000017
【図１７】
0006014961.tif 000018
【図１８】
0006014961.tif 000019
【図１９】
0006014961.tif 000020